(57)【要約】【課題】レンタル機材の貸出発注から返却までの貸出後の現状管理までも含めたレンタル機材管理を、識別情報に基づき一元的に行なうレンタル機材管理システムを提供する。【解決手段】レンタル機材の識別情報を記録した識別情報記録体１と、識別情報記録体からリーダ端末２が読み取った識別情報を受信する現場コンピュータ４と、現場コンピュータとネットワーク接続されている中央コンピュータ３とを有する。現場コンピュータは、レンタル機材の識別情報を含む機材発注情報を生成する機材発注情報生成部４１と、レンタル機材の現場での稼動状況を示す機材稼動状況情報を識別情報を用いて生成する機材稼動状況情報生成部４２とを備える。中央コンピュータは、機材発注情報に基づいてレンタル機材の予約貸出を管理する予約貸出管理部３１と、機材稼動状況情報に基づいてレンタル機材の現状管理を行う機材現状管理部３２とを備える。【選択図】図１
2010134774.tif 000002
【特許請求の範囲】
【請求項１】
レンタル機材に取り付けられるとともに当該レンタル機材の識別情報を記録した識別情報記録体と、使用現場における前記レンタル機材の識別情報記録体からリーダ端末によって読み取られた識別情報が転送される現場コンピュータと、前記現場コンピュータとネットワークを通じてデータ伝送可能に接続されている中央コンピュータとを有し、
前記現場コンピュータは、レンタル機材の現場への貸し出し発注の際に当該レンタル機材の識別情報を含む機材発注情報を生成する機材発注情報生成部と、貸し出されたレンタル機材の現場での稼動状況を示す機材稼動状況情報を前記リーダ端末によって読み取られた識別情報を用いて生成する機材稼動状況情報生成部とを備え、
前記中央コンピュータは、前記現場コンピュータから受け取った前記機材発注情報に基づいてレンタル機材の予約貸出を管理する予約貸出管理部と、前記現場コンピュータから受け取った前記機材稼動状況情報に基づいてレンタル機材の現状管理を行う機材現状管理部とを備えているレンタル機材管理システム。
【請求項２】
前記中央コンピュータは、前記レンタル機材の搬入搬出管理を行う機材搬入搬出管理部を備え、前記中央コンピュータは、前記レンタル機材の搬入搬出管理のために、保管場から現場に搬出される前記レンタル機材から又は現場から保管場に搬入される前記レンタル機材からリーダ端末によって読み取られた前記レンタル機材の識別情報をネットワークを通じて取り込む請求項１に記載のレンタル機材管理システム。
【請求項３】
使用現場における前記レンタル機材の識別情報を読み取るリーダ端末はネットワークアダプタを介してネットワークに接続され、前記識別情報は前記ネットワークアダプタのネットワークアドレスとともに前記現場コンピュータに転送され、前記現場コンピュータは、前記識別情報と前記ネットワークアドレスとに基づいて使用現場における前記レンタル機材の存在位置を決定する請求項１又は２に記載のレンタル機材管理システム。
【請求項４】
前記ネットワークアダプタはＰＬＣ(Power Line Communication)アダプタであり、前記リーダ端末の充電アダプタと一体化されている請求項３に記載のレンタル機材管理システム。
【請求項５】
レンタル機材に取り付けられるとともに当該レンタル機材の識別情報を記録した識別情報記録体からリーダ端末によって読み取られた識別情報が転送される現場コンピュータとネットワークを通じてデータ伝送可能に接続されているレンタル機材管理システム用中央コンピュータにおいて、
前記現場コンピュータによってレンタル機材の現場への貸し出し発注の際に生成される当該レンタル機材の識別情報を含む機材発注情報に基づいてレンタル機材の予約貸出を管理する予約貸出管理部と、前記リーダ端末によって読み取られた識別情報を用いて前記現場コンピュータによって生成されたレンタル機材の現場での稼動状況を示す機材稼動状況情報に基づいてレンタル機材の現状管理を行う機材現状管理部とを備えているレンタル機材管理システム用中央コンピュータ。
【請求項６】
レンタル機材に取り付けられるとともに当該レンタル機材の識別情報を記録した識別情報記録体からリーダ端末によって読み取られた識別情報をネットワークを中央コンピュータ通じて伝送するレンタル機材管理システム用現場コンピュータにおいて、
レンタル機材の現場への貸し出し発注の際に当該レンタル機材の識別情報を含む機材発注情報を生成する機材発注情報生成部と、貸し出されたレンタル機材の現場での稼動状況を示す機材稼動状況情報を前記リーダ端末によって読み取られた識別情報を用いて生成する機材稼動状況情報生成部とを備え、
前記中央コンピュータが前記機材発注情報に基づいてレンタル機材の予約貸出を管理できるように前記中央コンピュータに前記機材発注情報を伝送するとともに、前記中央コンピュータが前記機材稼動状況情報に基づいてレンタル機材の現状管理を行えるように前記中央コンピュータに前記機材稼動状況情報を伝送するレンタル機材管理システム用現場コンピュータ。
【発明の詳細な説明】
【技術分野】
【０００１】
本発明は、レンタル機材に取り付けられるとともに当該レンタル機材に割り当てられた読み取り可能識別情報を用いたレンタル機材管理システムに関する。
【背景技術】
【０００２】
レンタル会社が所有する建材や建機などのレンタル機材を建築現場に貸し出しするにあたって、人が倉庫に行ってレンタル機材を確認するような管理形態では、同一の機材が多数あると、どの機材がレンタル可能であるのかを即座に判断できない。そのため、レンタル機材の予約状況貸出状況やメンテナンス状況等はコンピュータを用いて管理するシステムを利用することが提案されている。そのようなシステムとして、レンタル機材置き場に置かれた個々のレンタル機材のそれぞれに付された固有の識別コードを入力するための機材入力手段および無線の通信手段を有する携帯端末装置と、レンタル機材のレンタルのための情報が記憶されたデータベースと、通信手段を介した携帯端末装置からの指令を受けてデータベースの情報を読み出すサーバと、機材入力手段により入力されたレンタル機材の識別コードとサーバにより読み出された情報とに基づき、レンタル機材が貸し出し可能か否かを判定する判定手段と、判定手段の判定結果を携帯端末装置を介して報知する報知手段とを備えるレンタル管理システムが知られている（例えば、特許文献１参照）。このレンタル管理システムでは、レンタル機材の現物から携帯端末装置に入力された固有の識別コードとサーバにより読み出されたレンタル機材の情報とに基づき、そのレンタル機材のレンタルの可否が判定され、その判定結果が携帯端末装置を介して報知されるので、レンタルの可否を即座に認識することができという利点が得られる。
しかしながら、このレンタル管理システムでは、使用現場に貸し出されたレンタル機材の現状管理は全くなされていない。
【０００３】
【特許文献１】特開２００６−１７８８４５号公報（段落番号０００５−００１３、図１、図７）
【発明の開示】
【発明が解決しようとする課題】
【０００４】
上記実状に鑑み、本発明の目的は、レンタル機材の貸出発注から返却までの貸し出し後の現状管理までも含めたレンタル機材管理を、識別情報に基づく一元的なネットワーク化によって実現するレンタル機材管理システムを提供することである。
【課題を解決するための手段】
【０００５】
上記目的を達成するため、本発明によるレンタル機材管理システムは、レンタル機材に取り付けられるとともに当該レンタル機材の識別情報を記録した識別情報記録体と、使用現場における前記レンタル機材の識別情報記録体からリーダ端末によって読み取られた識別情報が転送される現場コンピュータと、前記現場コンピュータとネットワークを通じてデータ伝送可能に接続されている中央コンピュータとを有し、前記現場コンピュータは、レンタル機材の現場への貸し出し発注の際に当該レンタル機材の識別情報を含む機材発注情報を生成する機材発注情報生成部と、貸し出されたレンタル機材の現場での稼動状況を示す機材稼動状況情報を前記リーダ端末によって読み取られた識別情報を用いて生成する機材稼動状況情報生成部とを備え、前記中央コンピュータは、前記現場コンピュータから受け取った前記機材発注情報に基づいてレンタル機材の予約貸出を管理する予約貸出管理部と、前記現場コンピュータから受け取った前記機材稼動状況情報に基づいてレンタル機材の現状管理を行う機材現状管理部とを備えている。
【０００６】
上記構成によれば、レンタル機材の使用現場に配置されている現場コンピュータと、レンタル機材の管理本部に配置されている中央コンピュータとがネットワークを通じてデータ伝送可能に接続されており、レンタル機材に取り付けられた識別情報記録体に記録されている当該レンタル機材の識別情報は、リーダ端末によって読み取られ、現場コンピュータに転送される。現場コンピュータに構築される機能としての機材稼動状況情報生成部は、転送されてきた識別情報を用いて貸し出されたレンタル機材の現場での稼動状況を示す機材稼動状況情報を生成し、中央コンピュータに送ることができる。中央コンピュータに構築される機能としての機材現状管理部は、現場コンピュータから受け取った機材稼動状況情報に基づいてレンタル機材の現状管理を行うことができる。従って、本発明によるレンタル機材管理システムは、レンタル機材の貸出発注から返却までの貸し出し後の現状管理までも含めたレンタル機材管理を、識別情報に基づく一元的なネットワーク化によって実現することができる。
【０００７】
本発明の好適な実施形態の１つでは、前記中央コンピュータは、前記レンタル機材の搬入搬出管理を行う機材搬入搬出管理部を備え、前記中央コンピュータは、前記レンタル機材の搬入搬出管理のために、保管場から現場に搬出される前記レンタル機材から又は現場から保管場に搬入される前記レンタル機材からリーダ端末によって読み取られた前記レンタル機材の識別情報をネットワークを通じて取り込むように構成されている。この構成を採用することにより、レンタル機材の搬入・搬出時にリーダ端末によって読み取られた搬入・搬出対象レンタル機材の識別情報が中央コンピュータの機材搬入搬出管理部に送られるので、貸し出しされたレンタル機材の返却や貸し出し予定のレンタル機材の発送に関する情報がこの作業が実際に行われる保管場からの情報として把握でき、時間的に精度の高いレンタル機材管理が実現する。
【０００８】
さらに好適な実施形態の１つでは、使用現場における前記レンタル機材の識別情報を読み取るリーダ端末はネットワークアダプタを介してネットワークに接続され、前記識別情報は前記ネットワークアダプタのネットワークアドレスとともに前記現場コンピュータに転送され、前記現場コンピュータは、前記識別情報と前記ネットワークアドレスとに基づいて使用現場における前記レンタル機材の存在位置を決定するように構成されている。レンタル機材の使用現場が広範囲に広がっていても、レンタル機材の識別情報を読み取って現場コンピュータに転送する際に利用されるリーダ端末側のネットワークアダプタの設置場所を予め設定しておけば、リーダ端末が利用しているネットワークアダプタを一義的に特定することができるネットワークアドレスからネットワークアダプタの設置場所、つまりリーダ端末の使用場所、結果的には転送された識別情報によって規定されるレンタル機材の存在位置を人の手を煩わせることなしに、現場コンピュータが把握できるようになる。そのようにして把握されたレンタル機材の存在位置はさらに現場コンピュータから中央コンピュータに転送されることで、機材現状管理部はレンタル機材の稼動場所を確認することができる。
【０００９】
建設現場などでは、ネットワーク環境が不備なケースが多い。しかしながら、電力線はかなりのエリアにわたって敷設されているので、リーダ端末と現場コンピュータとの間のネットワークとしてＰＬＣ(Power Line Communication)を利用すると好適である。その場合、前記ネットワークアダプタはＰＬＣ(Power Line Communication)アダプタとなるが、このＰＬＣアダプタは電源ソケットに差し込むことでその機能を実現することから、同様に電源ソケットに差し込むことでその機能を実現するリーダ端末の充電アダプタと一体化する構成を採用すると好都合である。
【００１０】
なお、上述したレンタル機材管理システムに用いられる単独の中央コンピュータ及び単独の現場コンピュータも発明の権利範囲に含まれている。例えば、レンタル機材に取り付けられるとともに当該レンタル機材の識別情報を記録した識別情報記録体からリーダ端末によって読み取られた識別情報が転送される現場コンピュータとネットワークを通じてデータ伝送可能に接続されているレンタル機材管理システム用中央コンピュータも、本発明の対象である。このレンタル機材管理システム用中央コンピュータは、前記現場コンピュータによってレンタル機材の現場への貸し出し発注の際に生成される当該レンタル機材の識別情報を含む機材発注情報に基づいてレンタル機材の予約貸出を管理する予約貸出管理部と、前記リーダ端末によって読み取られた識別情報を用いて前記現場コンピュータによって生成されたレンタル機材の現場での稼動状況を示す機材稼動状況情報に基づいてレンタル機材の現状管理を行う機材現状管理部とを備えている。
さらに、レンタル機材に取り付けられるとともに当該レンタル機材の識別情報を記録した識別情報記録体からリーダ端末によって読み取られた識別情報を中央コンピュータに中継伝送するレンタル機材管理システム用現場コンピュータも本発明の対象である。このレンタル機材管理システム用現場コンピュータは、レンタル機材の現場への貸し出し発注の際に当該レンタル機材の識別情報を含む機材発注情報を生成する機材発注情報生成部と、貸し出されたレンタル機材の現場での稼動状況を示す機材稼動状況情報を前記リーダ端末によって読み取られた識別情報を用いて生成する機材稼動状況情報生成部とを備え、前記中央コンピュータが前記機材発注情報に基づいてレンタル機材の予約貸出を管理できるように、前記中央コンピュータに前記機材発注情報を伝送する。さらに、前記中央コンピュータが前記機材稼動状況情報に基づいてレンタル機材の現状管理を行えるように前記中央コンピュータに前記機材稼動状況情報を伝送する。
このようなレンタル機材管理システム用中央コンピュータ及びレンタル機材管理システム用現場コンピュータのそれぞれも、上述した本発明によるレンタル機材管理システムを構成する中央コンピュータ及び現場コンピュータのそれぞれの作用効果を有する。
【発明を実施するための最良の形態】
【００１１】
以下、本発明の実施形態を図面に基づいて説明する。図１には、本発明によるレンタル機材管理システムを採用した１つの実施形態が模式的に示されている。このレンタル機材管理システムは、建築現場で用いられるレンタル機材（以下単に機材と略称する）に関する情報を各機材に割り当てられた識別情報をキーとして建築現場（建築会社）とレンタル会社との間で一元的に流通させることで、機材の効率的な管理を実現している。各機材の識別情報は、各機材に取り付けられる識別情報記録体の一例としてのＩＣタグ１に記録されている。
【００１２】
このＩＣタグ１は識別コード等の識別情報を保持しており、リーダ端末との相互作用を通じてリーダに識別情報を与えることができるものであり、ＩＣタグリーダとしてのリーダ端末２から発射される電波によって微量な電力が回路内に発生し、その電力で情報を処理し、リーダ端末２に送信する機能を有する。レンタル会社は、取り扱っている機材に識別コードとしての機材コードを割り当て、機材情報として少なくともその機材コードを送信可能に記録したＩＣタグ１を対応する機材に取り付けておく。
【００１３】
このレンタル機材管理システムでは、機材の貸出元側には中央コンピュータ３が配置されており、機材の貸出先側には現場コンピュータ４が配置されている。現場コンピュータ４は機材使用現場としての建築現場ごとに配置されており、中央コンピュータ３からは遠く離れているので、広域通信ネットワーク（ＷＡＮ）５を利用して互いにデータ伝送可能に接続されている。
【００１４】
リーダ端末２はネットワーク機能を有しており、貸出元側の機材保管場に配置されているリーダ端末２は会社内に構築されている構内通信ネットワーク（ＬＡＮ）６を利用して中央コンピュータ３とデータ伝送可能に接続されており、貸出先側の使用現場に配置されているリーダ端末２は現場内に構築されている構内通信ネットワーク（ＬＡＮ）６を利用して中央コンピュータ３とデータ伝送可能に接続されている。特に、現場内に構築されている構内通信ネットワーク（ＬＡＮ）６は、建築現場という特殊な環境を考慮して、電力線通信ネットワーク（ＰＬＣ）が採用されている。これは、建築現場においても電力線は張り巡らされており、その電気コンセントにＰＬＣアダプタ６ａを差し込むことにより、簡単に構内通信ネットワークが構築されるからである。リーダ端末２を無線または有線でＰＬＣアダプタ６ａに接続することにより、機材に取り付けられているＩＣタグ１から読み取った、当該機材を特定する機材コードとともに必要な情報を現場コンピュータ４に転送することができる。
【００１５】
リーダ端末２はポータブル性を確保するため充電式のバッテリを駆動電源としているので、この充電アダプタとＰＬＣアダプタ６ａを一体化しておくと、リーダ端末２の充電時にリーダ端末２が読み取っている情報を現場コンピュータ４に転送することができる。
【００１６】
中央コンピュータ３は、各機材に割り当てられた機材コード(識別情報の一種)をキーとして機材に関する情報を建築現場（建築会社）とレンタル会社との間で流通させることで機材の効率的な管理を実現するために、それらの情報を一元管理しているデータベース部３０を備えている。このデータベース部３０で取り扱われる主な情報のデータ構造を模式化したものが図２に示されている。取り扱われる情報の代表的なものは、機材基本情報と、機材属性情報と、予約情報と、貸出情報と、稼動情報である。
【００１７】
機材基本情報には、機材を特定するための情報として、機材コード、機材名、分類コードが含まれている。機材属性情報は、各機材に付帯する情報であり、そのメーカ名や、購入日、購入から行われたメンテナンスを記録したメンテナンス情報を抽出するためのメンテナンスコードなどが含まれている。予約情報は、貸出先からの機材貸出要求に基づいて作成される予約原簿を構成する情報であり、予約コード、予約日、予約者コード、予約者名、使用現場名、使用開始日、使用終了日などが含まれる。貸出情報の内容の多くは、予約された機材が実際に使用現場へ出庫される段階で予約情報から転記されるもので、貸出コード、貸出者コード、貸出者名、使用現場名、出庫日時、貸出先搬入日時、返却予定日時などが含まれている。稼動情報は、貸し出された機材の使用現場での稼動状況を記録するものであり、稼動コード、使用ローカル位置、使用者コード、使用開始時間、使用終了時間などが含まれる。この稼動情報は、特に稼動状況をチェックする必要がある機材に対して作成される。例えば、この情報を用いることによって、バックホウなど大型の建機などに対して使用時間によるレンタル料金の変動さといったビジネスモデルも可能となる。使用開始時間と使用終了時間を正確に取得するために、リーダ端末１とバックホウなどの建設機械のマスタキーとを連係させて、機材の稼動時間を機材コードとともにリーダ端末１が取得し、現場コンピュータ４に転送できるような構成を採用すると、中央コンピュータ３はそのような稼動情報を人手を介さずに高い信頼性で入手することができるので好都合である。
【００１８】
現場コンピュータ４は、ＨＴＴＭファイルやＸＬＭファイルなどを取り扱うことができるブラウザ部４０を備えており、中央コンピュータから送られてきた機材レンタルの発注文書をモニタに表示し、マウスなどを用いてその発注文書に記入されたデータを返送することができる。現場コンピュータ４は、実質的にプログラムによって構築される機能として、さらに、機材発注情報生成部４１と機材稼動状況情報生成部４２とを備えている。機材発注情報生成部４１は、ブラウザ部４０と協働して、機材の現場への貸し出し発注の際に当該機材の機材コード（識別情報）を含む機材発注情報を生成したり、ブラウザ部４０とは独立してつまりバッチ処理的に機材発注情報を生成したりする機能を有する。機材稼動状況情報生成部４２は、レンタルした機材の現場での稼動状況を示す機材稼動状況情報を、機材の使用開始時と使用終了時に当該機材のＩＣタグ１からリーダ端末３によって読み取られた機材コードを用いて生成する機能を有する。この機材稼動状況情報には図２を用いて説明した稼動情報を作成するために必要な情報が含まれており、多数の機材の機材稼動状況情報は、バッチ処理的に、例えば一日の終わりに、まとめて中央コンピュータ３に送信される。
【００１９】
中央コンピュータ３は、実質的にプログラムによって構築される機能として、予約貸出管理部３１と、機材現状管理部３２と、機材搬入搬出管理部３３とを備えている。予約貸出管理部３１は、現場コンピュータ４から受け取った機材発注情報に含まれている機材コードを検索キーとしてデータベース部３０にアクセスし、当該機材コードの機材がその予約期間において貸し出し可能かどうかをチェックし、可能な場合新規貸出予約としてデータベース部３０の予約情報に追記する。もし貸し出しが不可能な場合、その旨を現場コンピュータ４に通知する。機材現状管理部３２は、現場コンピュータ４から受け取った機材稼動状況情報に含まれている各機材の稼動状況データをデータベース部３０の稼動情報に記録する。機材現状管理部３２は、データベース部３０に記録された稼動情報を抽出し、様々な表示形式でモニタ表示することで、貸し出し機材の現状の簡単な把握を可能にする。
【００２０】
機材搬入搬出管理部３３は、機材保管庫に配置されているリーダ端末２から送られてくる情報に基づいて機材保管庫における機材の搬入搬出の管理を行う。機材保管庫における機材をリーダ端末２によって読み取られた機材コードによって特定するとともに、その機材の貸出先としての使用現場において搬入搬出された機材からリーダ端末２によって読み取られ、中央コンピュータ３に送られてきた機材コードとを照合することにより、正確な機材の貸し出しに伴う搬入搬出チェックが実現する。
【００２１】
上述したように、各機材に割り当てられた機材コード(識別情報の一種)をキーとして建築現場（建築会社）とレンタル会社とが必要とする機材レンタルに関する情報は中央コンピュータ３のデータベース部３０に格納されている。従って、機材コードを検索キーとして、所望の機材の状況を検索抽出してモニタ表示あるいはプリント出力することができる。図３には、特定の機材に関する情報を表示するモニタ画面の一例が示されている。このモニタ画面には、機材コード、機材名、貸出状況、貸出先会社コード、貸出先会社名、貸出先現場コード、貸出先現場名、貸出期間、さらにはこの機材の保管庫からの出庫日や周子担当者の氏名も表示されている。
【００２２】
上述したように構成されたレンタル機材管理システムにおける各種情報の流れを図４のチャート図を用いて説明する。
まず、貸出先（現場コンピュータ４）が現場で必要とする機材をレンタルしようとする場合、貸出元（中央コンピュータ３）にアクセスして、レンタル予約情報を受け取る（＃０１）。このレンタル予約情報とは、レンタル予約に必要な情報であり、レンタル可能な機材のリストやレンタル依頼のための電子的な注文文書などが含まれる。貸出先は受け取ったレンタル予約情報に基づいて予約発注情報を生成し、貸出元に送る（＃０２）。貸出元は送られてきた予約発注情報をチェックして、確定した貸出予約に関する予約確定情報を生成して、貸出先に送る（＃０３）。確定された予約情報はデータベース部３０に記録されているので、予約された機材の出庫日となると、保管場で当該機材の出庫（搬出）処理が行われ、その際に貸出元のリーダ端末２によって読み込まれた機材コードとともに出庫した機材に関する出庫情報がリーダ端末２から貸出元である中央コンピュータに転送される（＃０４）。
【００２３】
機材が搬送され、貸出先の現場に到着すると、その現場の受け入れ処理が行われる。その際に、貸出元のリーダ端末２によって読み込まれた機材コードが現場コンピュータ４に転送され、そこから搬入された機材に関する搬入情報として貸出元である中央コンピュータに送られる（＃０５）。貸し出された機材の使用現場での使用開始とともに、稼動情報の作成が必要な機材に関しては、適時にリーダ端末２によってその機材のＩＣタグから機材コードが読み込まれ、現場コンピュータ４に転送される。さらに現場コンピュータ４から機材稼動情報として加工され、貸出元である中央コンピュータに送られる（＃０６）。機材の貸出期間が満了すると、当該機材は使用現場から搬出されるが、その際もその機材の機材コードがリーダ端末２によって読み込まれ、搬出情報として現場コンピュータ４に中継されて、中央コンピュータに送られる（＃０７）。使用現場から搬出された機材は貸出元の保管庫に搬入されると、そこで再びその機材の機材コードがリーダ端末２によって読み込まれ、入庫（返却）情報として中央コンピュータに転送される（＃０８）。
【００２４】
以上のように、本発明によるレンタル機材管理システムは、各レンタル機材に割り当てられた識別情報をキーとして貸出元と貸出先のコンピュータが機材レンタルに関する情報を交換するので機材の効率的な管理が実現する。
【００２５】
〔別実施形態〕
上述した実施の形態では、使用現場に配置されたリーダ端末２と現場コンピュータ４は別体構成となっていたが、リーダ端末２にネットワークコンピュータ機能を搭載することで、リーダ端末２と現場コンピュータ４とを一体化することも可能である。この構成では、リーダ端末２から直接レンタル機材に関する種々の情報を中央コンピュータに送信することができる。また、リーダ端末２でレンタル機材の貸出発注を行うことも可能となる。本発明は、そのような実施形態も権利範囲に含むものである。
【図面の簡単な説明】
【００２６】
【図１】本発明によるレンタル機材管理システムを説明する模式図
【図２】レンタル機材の管理に関する各種情報のデータ構造を説明する模式図
【図３】特定の機材に関する情報を表示するモニタ画面の一例を示す図
【図４】レンタル機材管理システムにおける各種情報の流れの一例を示すチャート図
【符号の説明】
【００２７】
１：ＩＣタグ（識別情報記録体）
２：リーダ端末（ＩＣタグリーダ）
３：中央コンピュータ
４：現場コンピュータ
５：ＷＡＮ（ネットワーク）
６：ＬＡＮ（ネットワーク）
６ａ：ＰＬＣアダプタ（ネットワークアダプタ）
３０：データベース部
３１：予約貸出管理部
３２：機材現状管理部
３３：機材搬入搬出管理部
４０：ブラウザ部
４１：機材発注情報生成部
４２：機材稼動状況情報生成部
【図１】
2010134774.tif 000003
【図２】
2010134774.tif 000004
【図３】
2010134774.tif 000005
【図４】
2010134774.tif 000006